(57)【要約】【課題】低変調クラスにおいて通信品質が劣化した場合であっても通信路切断を回避するとともに、余計な妨害波の低減を図ることができ、基地局の無線リソースの有効利用を図ることができる通信制御方法および無線通信装置を提供する。【解決手段】他の無線通信装置である基地局との間で無線通信を行う本発明の無線通信装置は、前記基地局との間の通信品質に応じて変調クラスを制御する変調クラス制御手段と、前記変調クラスが所定の変調クラス以下になった場合には、現在使用しているキャリア周波数の割当数を減少させ、前記変調クラスが前記所定の変調クラスを超えた場合には、現在使用しているキャリア周波数の割当数を増加させるように制御するキャリア周波数制御手段と、前記キャリア周波数制御手段により制御されたキャリア周波数の割当数情報を前記基地局へ通知する通知手段とを備える。【選択図】図２
2008211618.tif 000002
【特許請求の範囲】
【請求項１】
通信品質に応じて変調クラスを制御する第１ステップと、
前記変調クラスが所定の変調クラス以下になった場合には、現在使用しているキャリア周波数の割当数を減少させ、前記変調クラスが前記所定の変調クラスを超えた場合には、現在使用しているキャリア周波数の割当数を増加させる第２ステップと、を含むことを特徴とする通信制御方法。
【請求項２】
前記所定の変調クラスにおいて、現在使用しているキャリア周波数の割当数を通信品質に応じて制御することを特徴とする請求項１に記載の通信制御方法。
【請求項３】
前記所定の変調クラスにおいて、通信品質に応じて予め設定されたキャリア周波数の割当数と所要の通信品質との対応付けに基づいて、現在使用しているキャリア周波数の割当数を制御することを特徴とする請求項１に記載の通信制御方法。
【請求項４】
他の無線通信装置との間で無線通信を行う無線通信装置において、
前記他の無線通信装置との間の通信品質に応じて変調クラスを制御する変調クラス制御手段と、
前記変調クラスが所定の変調クラス以下になった場合には、現在使用しているキャリア周波数の割当数を減少させ、前記変調クラスが前記所定の変調クラスを超えた場合には、現在使用しているキャリア周波数の割当数を増加させるように制御するキャリア周波数制御手段と、
前記キャリア周波数制御手段により制御されたキャリア周波数の割当数情報を前記他の無線通信装置へ通知する通知手段と、を備えることを特徴とする無線通信装置。
【発明の詳細な説明】
【技術分野】
【０００１】
本発明は、ワイヤレス・ブロードバンド・システム等の無線通信システムに適用可能な通信制御方法および、該無線通信システムの構成要素である無線通信端末や基地局等の無線通信装置に関するものである。
【背景技術】
【０００２】
近年、無線通信端末（以下、端末ともいう）が処理する情報量の増大化傾向に伴い、１つの端末が複数のキャリア周波数を用いてデータ通信を行うマルチキャリア方式の無線通信システムが開発されている。このような無線通信システムでは、端末が使用可能な空きチャネルや空きスロットがある限り、複数のキャリア周波数を端末が使用して基地局との間で通信を行うことができる。
そして、上記無線通信システムにおいては、適応変調方式技術（リンクアダプテーション）を用いた通信も考えられている。上記適応変調方式技術は、基地局および端末が送受信する電波の品質（通信品質）に応じて、最適な符号化変調方式を選択する技術であり、この適応変調方式技術の採用により、通信品質が良いときには、高速のデータレートを維持するために高速の変調方式を適用し、通信品質が悪いときには、通信回線の切断を避けるために低速の変調方式を適用することができる。
なお、適応変調方式技術を用いる無線通信システムの従来例としては、例えば特許文献１に記載のものがある。
【０００３】
【特許文献１】特開２０００−３２４０８１号公報
【発明の開示】
【発明が解決しようとする課題】
【０００４】
上記従来例の適応変調方式技術を用いる無線通信システムは、無線通信端末におけるデータ転送レートを上げる場合には、単にキャリア周波数の割当数を増加させることにより多重可能な最大数のキャリア周波数を用いてデータ通信を行うとともに、無線通信端末が１スロット〜３スロットを使用して基地局と送受信を行なう際に使用可能になる最大の変調クラスを用いるようにしているため、以下のような問題が生じる。
例えば、上記従来例の無線通信システムにおいて、端末と基地局との間で通信可能なキャリア周波数の全てを用いて通信が行われているときに、端末が基地局のセルエッジに向かって移動した場合には、当該端末および基地局間の通信品質（Carrier vs. Noise Ratio ；以下、ＣＮＲという）が劣化していくため、変調クラスが低下していき、低下した変調クラスに応じてデータレートも低速になる。さらに、当該端末がセルエッジまで移動した場合には、低変調クラスで、かつ、基地局から送信される電力が弱まるため、通信品質の劣化に伴いデータレートが急激に低下してしまう。
また、このような通信状況下においても、端末および基地局間では通信可能なキャリア周波数の全てを用いて通信が行われるため、端末においては、１キャリア当たりの送信電力の低下を招き、通話断となる可能性も生じる。また、基地局においては無線リソースの浪費を招いてしまう。
【０００５】
本発明は、低変調クラスにおいて通信品質が劣化した場合であっても、通信路の確保を図ることができ、基地局の無線リソースの有効利用も併せて図ることができる通信制御方法を提供することを第１の目的とする。
本発明は、低変調クラスにおいて通信品質が劣化した場合であっても、通信路の確保を図ることができ、基地局の無線リソースの有効利用も併せて図ることができる無線通信装置を提供することを第２の目的とする。
【課題を解決するための手段】
【０００６】
上記第１の目的を達成するため、請求項１に係る通信制御方法は、通信品質に応じて変調クラスを制御する第１ステップと、前記変調クラスが所定の変調クラス以下になった場合には、現在使用しているキャリア周波数の割当数を減少させ、前記変調クラスが前記所定の変調クラスを超えた場合には、現在使用しているキャリア周波数の割当数を増加させる第２ステップと、を含むことを特徴とする。
【０００７】
前記所定の変調クラスにおいて、現在使用しているキャリア周波数の割当数を通信品質に応じて制御することが、低変調クラスにおいて通信品質が劣化した場合であっても通信路切断を回避するとともに、余計な妨害波の低減を図ることができ、基地局の無線リソースの有効利用を図ることができる通信制御方法を提供する上で好ましい。
【０００８】
前記所定の変調クラスにおいて、通信品質に応じて予め設定されたキャリア周波数の割当数と所要の通信品質との対応付けに基づいて、現在使用しているキャリア周波数の割当数を制御することが、低変調クラスにおいて通信品質が劣化した場合であっても通信路切断を回避するとともに、余計な妨害波の低減を図ることができ、基地局の無線リソースの有効利用を図ることができる通信制御方法を提供する上で好ましい。
【０００９】
上記第２の目的を達成するため、請求項１に係る無線通信装置は、他の無線通信装置との間で無線通信を行う無線通信装置において、前記他の無線通信装置との間の通信品質に応じて変調クラスを制御する変調クラス制御手段と、前記変調クラスが所定の変調クラス以下になった場合には、現在使用しているキャリア周波数の割当数を減少させ、前記変調クラスが前記所定の変調クラスを超えた場合には、現在使用しているキャリア周波数の割当数を増加させるように制御するキャリア周波数制御手段と、前記キャリア周波数制御手段により制御されたキャリア周波数の割当数情報を前記他の無線通信装置へ通知する通知手段と、を備えることを特徴とする。
【発明の効果】
【００１０】
本発明によれば、変調クラスが所定の変調クラス以下になった場合には、現在使用しているキャリア周波数の割当数を減少させ、前記変調クラスが前記所定の変調クラスを超えた場合には、現在使用しているキャリア周波数の割当数を増加させるので、低変調クラスにおいて通信品質が劣化した場合であっても通信路切断を回避するとともに、余計な妨害波の低減を図ることができ、基地局の無線リソースの有効利用を図ることができる通信制御方法および無線通信装置を提供することができる。
【発明を実施するための最良の形態】
【００１１】
以下、本発明を実施するための最良の形態を図面に基づき詳細に説明する。
図１は本発明の第１実施形態の通信制御方法を適用する無線通信システムにおいて無線通信端末が複数のキャリア周波数を使用して基地局とデータ通信を行う際の、キャリア周波数の割当数毎のデータ転送レートの例を示すグラフである。図１において、縦軸はデータ転送レート（ｋｂｐｓ）を示し、横軸は基地局と無線通信端末（端末）との距離を示している。また、図１には、キャリア周波数の割当数が１，２，３，４の場合（以下、１キャリア、２キャリア、３キャリア、４キャリアともいう）に対応する４本の折れ線が記載されており、各折れ線上にプロットされた１１点はそれぞれ、左から右に向かって変調クラス１０〜変調クラス０を示す「ｍｏｄ１０」、「ｍｏｄ９」、「ｍｏｄ８」、・・・、「ｍｏｄ０」に対応するデータ転送レートを示しているが、グラフを見やすくするために「ｍｏｄ４」、・・・、「ｍｏｄ０」の記載を省略している。
この図１のグラフは、基地局と端末との距離が近い場合には、パスロスが小さいため、高い変調クラス（高い変調方式）に設定され、端末に対するキャリア周波数の割当数が多いほどデータ転送レートが高くなるが、基地局と端末との距離が遠くなるにつれてパスロスが大きくなるため、「ｍｏｄ３」、「ｍｏｄ２」辺りでは、端末に対するキャリア周波数の割当数を増減させてもデータ転送レートの差は小さくなる。また、折れ線同士が交差している点は２つの折れ線におけるデータ転送レートの大小関係が逆転する境界点となっており、「Ｔｈ＿３−４（４Ｃ←→３Ｃ）」は４キャリアの折れ線と３キャリアの折れ線とにおけるデータ転送レートの大小関係が逆転する境界点を示し、「Ｔｈ＿２−３（３Ｃ←→２Ｃ）」は３キャリアの折れ線と２キャリアの折れ線とにおけるデータ転送レートの大小関係が逆転する境界点を示し、「Ｔｈ＿１−２（２Ｃ←→１Ｃ）」は２キャリアの折れ線と１キャリアの折れ線とにおけるデータ転送レートの大小関係が逆転する境界点を示している。
【００１２】
図２は図１のグラフにおけるアップリンク時の変調クラスと所要ＣＮＲとデータ転送レートとの関係の一例をキャリア周波数の割当数毎に示す図である。図２はキャリア周波数の割当数が１キャリアのときの所要ＣＮＲとデータ転送レートとを基本として、キャリア周波数の割当数を２キャリア、３キャリア、４キャリアと増やしていったときの所要ＣＮＲとデータ転送レートとを示しており、変調クラス０（ｍｏｄ０）に関しては、１キャリアの場合は、所要ＣＮＲが−０．８ｄＢで、１キャリア当たりのデータ転送レートが１９．２ｋｂｐｓであり、２キャリアの場合は、所要ＣＮＲが２．２ｄＢで、２キャリア当たりのデータ転送レートが３８．４ｋｂｐｓであり、３キャリアの場合は、所要ＣＮＲが４．０ｄＢで、３キャリア当たりのデータ転送レートが５７．６ｋｂｐｓであり、４キャリアの場合は、所要ＣＮＲが５．２ｄＢで、４キャリア当たりのデータ転送レートが７６．８ｋｂｐｓであり、変調クラス１（ｍｏｄ１）に関しては、１キャリアの場合は、所要ＣＮＲが０．８ｄＢで、１キャリア当たりのデータ転送レートが３８．４ｋｂｐｓであり、２キャリアの場合は、所要ＣＮＲが３．８ｄＢで、２キャリア当たりのデータ転送レートが７６．８ｋｂｐｓであり、３キャリアの場合は、所要ＣＮＲが５．６ｄＢで、３キャリア当たりのデータ転送レートが１１５．２ｋｂｐｓであり、４キャリアの場合は、所要ＣＮＲが６．８ｄＢで、４キャリア当たりのデータ転送レートが１５３．６ｋｂｐｓであり、変調クラス２（ｍｏｄ２）に関しては、１キャリアの場合は、所要ＣＮＲが２．５ｄＢで、１キャリア当たりのデータ転送レートが７６．８ｋｂｐｓであり、２キャリアの場合は、所要ＣＮＲが５．５ｄＢで、２キャリア当たりのデータ転送レートが１５３．６ｋｂｐｓであり、３キャリアの場合は、所要ＣＮＲが７．３ｄＢで、３キャリア当たりのデータ転送レートが２３０．４ｋｂｐｓであり、４キャリアの場合は、所要ＣＮＲが８．５ｄＢで、４キャリア当たりのデータ転送レートが３０７．２ｋｂｐｓであり、変調クラス３（ｍｏｄ３）に関しては、１キャリアの場合は、所要ＣＮＲが５．４ｄＢで、１キャリア当たりのデータ転送レートが１２９．６ｋｂｐｓであり、２キャリアの場合は、所要ＣＮＲが８．４ｄＢで、２キャリア当たりのデータ転送レートが２５９．２ｋｂｐｓであり、３キャリアの場合は、所要ＣＮＲが１０．２ｄＢで、３キャリア当たりのデータ転送レートが３８８．８ｋｂｐｓであり、４キャリアの場合は、所要ＣＮＲが１１．４ｄＢで、４キャリア当たりのデータ転送レートが５１８．４ｋｂｐｓであり、変調クラス４（ｍｏｄ４）に関しては、１キャリアの場合は、所要ＣＮＲが７．５ｄＢで、１キャリア当たりのデータ転送レートが１７２．８ｋｂｐｓであり、２キャリアの場合は、所要ＣＮＲが１０．５ｄＢで、２キャリア当たりのデータ転送レートが３４５．６ｋｂｐｓであり、３キャリアの場合は、所要ＣＮＲが２．３ｄＢで、３キャリア当たりのデータ転送レートが５１８．４ｋｂｐｓであり、４キャリアの場合は、所要ＣＮＲが１３．５ｄＢで、４キャリア当たりのデータ転送レートが６９１．２ｋｂｐｓであり、変調クラス５（ｍｏｄ５）に関しては、１キャリアの場合は、所要ＣＮＲが９．８ｄＢで、１キャリア当たりのデータ転送レートが２１６．０ｋｂｐｓであり、２キャリアの場合は、所要ＣＮＲが１２．８ｄＢで、２キャリア当たりのデータ転送レートが４３２．０ｋｂｐｓであり、３キャリアの場合は、所要ＣＮＲが１４．６ｄＢで、３キャリア当たりのデータ転送レートが６４８．０ｋｂｐｓであり、４キャリアの場合は、所要ＣＮＲが１５．８ｄＢで、４キャリア当たりのデータ転送レートが８６４．０ｋｂｐｓであり、変調クラス６（ｍｏｄ６）に関しては、１キャリアの場合は、所要ＣＮＲが１１．９ｄＢで、１キャリア当たりのデータ転送レートが２９２．８ｋｂｐｓであり、２キャリアの場合は、所要ＣＮＲが１４．９ｄＢで、２キャリア当たりのデータ転送レートが５８５．６ｋｂｐｓであり、であり、３キャリアの場合は、所要ＣＮＲが１６．７ｄＢで、３キャリア当たりのデータ転送レートが８７８．４ｋｂｐｓであり、４キャリアの場合は、所要ＣＮＲが１７．９ｄＢで、４キャリア当たりのデータ転送レートが１１７１．２ｋｂｐｓであり、変調クラス７（ｍｏｄ０７に関しては、１キャリアの場合は、所要ＣＮＲが１３．２ｄＢで、１キャリア当たりのデータ転送レートが３４５．６ｋｂｐｓであり、２キャリアの場合は、所要ＣＮＲが１６．２ｄＢで、２キャリア当たりのデータ転送レートが６９１．２ｋｂｐｓであり、３キャリアの場合は、所要ＣＮＲが１８．０ｄＢで、３キャリア当たりのデータ転送レートが１０３６．８ｋｂｐｓであり、４キャリアの場合は、所要ＣＮＲが１９．２ｄＢで、４キャリア当たりのデータ転送レートが１３８２．４ｋｂｐｓである。
【００１３】
上記図１および図２においては、変調クラスが高い領域（基地局と端末との距離が近い領域）では、キャリア周波数の割当数が多いほどデータ転送レートが高くなる傾向が顕著になるが、変調クラス３付近の領域では、キャリア周波数の割当数を増やしてもデータ転送レートは増加せず、変調クラス２以下の領域では、キャリア周波数の割当数が例えば４キャリアの場合の方が１キャリアの場合よりもデータ転送レートが減少する傾向がある。この傾向は、無線通信端末において送信に使用できる全送信パワーは一定であることに起因しており、当該無線通信端末において使用できるキャリア周波数のキャリア数が増加すると１キャリア当たりの送信パワーは減少し、１キャリア当たりの送信パワーが減少することによって、電波の到達距離が短くなる。そこで、本実施形態では、当該無線通信端末の現在位置と基地局とのパスロス（距離）を考慮して、当該無線通信端末に割り当てるキャリア周波数のキャリア数に制限を設けるようにしている。
【００１４】
上記本実施形態の通信制御方法を適用する無線通信システムとしては、ワイヤレス・ブロードバンド・システムが好ましいが、特に、本願出願人らが提唱している「アイ・バースト（ｉＢｕｒｓｔ（登録商標））システム」と称せられるワイヤレス・ブロードバンド・システムに適用することが好ましい。「アイ・バースト（ｉＢｕｒｓｔ（登録商標）））システム」は、マルチキャリアを採用したＴＤＭＡ／ＴＤＤのシステムであり、上り（アップリンク）および下り（ダウンリンク）のタイム・スロット数は、各３タイム・スロットの合計６タイム・スロットで構成されており、上りおよび下りのタイム・スロット長が異なる非対称構成となっており、下りのデータ転送レートに重きをおいた構成である。ｉＢｕｒｓｔ（登録商標））システムのシンボル・レートは５００ｋシンボル／ｓｅｃであり、１キャリアの場合３タイム・スロットの全てを１ユーザが使用した最大データ転送レートは、下りは１０６１ｋｂｐｓになり、上りは３４６ｋｂｐｓになる。また、ｉＢｕｒｓｔ（登録商標））システムで使用する周波数帯域は５ＭＨｚであり、１キャリア当たりの帯域は６２５ｋＨｚであり、ｉＢｕｒｓｔ（登録商標））システムの１フレームは５ｍｓｅｃである。
【００１５】
次に、本実施形態の通信制御方法を適用する無線通信システムにおいて無線通信端末に割り当てるキャリア周波数のキャリア数の制限について説明する。
本実施形態の通信制御方法を適用する無線通信システムのようなマルチキャリア方式を採用した無線通信システムの端末装置は、基地局との距離（パスロス）に応じてサービスを享受できる変調クラスが制限を受けるが、送受信に用いるキャリア数を増やすことによって、データ転送レートを上げることも可能であり、また、キャリア数を減らして１キャリア当たりの送信パワーを増やすることによって、セルエッジまでのロングディスタンス・サービスを受けることも可能になる。その際の基地局のキャリア周波数リソースは、限られたキャリア周波数リソースであるので、最適なキャリア数および変調クラスを割り当てる制御を行うようにする。なお、本実施形態の通信制御方法を適用する無線通信システムは、基地局が無線通信端末に１キャリア〜４キャリアを割り当てる際には、基地局から無線通信端末へキャリア周波数の割当数情報を通知するように構成されている。
【００１６】
本実施形態の通信制御方法を適用する無線通信システムにおいて、基地局が端末に割り当てるキャリア周波数の割当数（キャリア数）をいくつにするかを決定する際には、まず、図１を見れば明らかなように、基地局と端末との距離（パスロスもしくは基地局での端末送信波の受信電波強度に対応する）から、必要とするデータ転送レートが分かり、当該必要とするデータ転送レートから、キャリア数をいくつにすべきかが分るので、基地局が端末に割り当てるキャリア数の最適な上限値が判明することとなる。例えば、所要ＣＮＲが１５ｄＢポイントで新たなユーザからのキャリア周波数の使用要求（１キャリアもしくは複数キャリアの使用要求）が発生した場合、１人のユーザによる２キャリア占有時は、基地局におけるデータ転送レートは２００ｋｂｐｓしか向上しないが、新たなユーザが１キャリアを使用した場合には、基地局として５００ｋｂｐｓもデータ転送レートが向上するため、当該基地局のキャリア周波数リソースが不足している場合には、基地局のトータルのデータ転送レートの方を重視して、基地局が端末に割り当てるキャリア数の上限値を１キャリアに制限する。なお、当該基地局のキャリア周波数リソースに十分な余裕がある場合には、上記キャリア数の上限値の制限を行う必要はない。
また、図２を見れば明らかなように、キャリア数の上限値を４キャリア、３キャリア、２キャリア、１キャリアというように、基地局と端末との距離（パスロス）に応じて区分しておくことにより、端末の現在位置において効率の悪いキャリア数の割り当てを回避することができる。
【００１７】
図３は第１実施形態の通信制御方法を実施する無線通信システムにおいて、無線通信装置である基地局が無線通信装置である無線通信端末に割り当てるキャリア周波数の割当数の制限値の設定例を示す図である。図３において、縦軸はデータ転送レート（ｋｂｐｓ）を示し、横軸は基地局と無線通信端末（端末）との距離を示し、「ｍｏｄ１０」、「ｍｏｄ９」、「ｍｏｄ８」、・・・はそれぞれ、変調クラスを示している。
また、図４は第１実施形態の通信制御方法を実施する無線通信システムにおいて、無線通信装置である基地局が無線通信装置である無線通信端末に割り当てるキャリア周波数の割当数の制限値の決定に用いる、キャリア周波数の割当数の切換ポイントを示す図である。図４において、Ｔｈ＿３−４は、３キャリアでのデータ転送レートと４キャリアでのデータ転送レートとが一致する切換ポイントであり、Ｔｈ＿２−３は、２キャリアでのデータ転送レートと３キャリアでのデータ転送レートとが一致する切換ポイントであり、Ｔｈ＿１−２は、１キャリアでのデータ転送レートと２キャリアでのデータ転送レートとが一致する切換ポイントである。なお、図４に示すように、各切換ポイントでの変調クラスの切り換えには、全てにおいて変調クラス２（ｍｏｄ２）を用ていいる。その理由は、Ｔｈ＿３−４とＴｈ＿２−３との間では、３キャリアを割り当てることも可能であるが、３キャリアを割り当ても所要ＣＮＲの差が極めて小さくなるため、３キャリアを除外することにした。
【００１８】
よって、本実施形態の通信制御方法を実施する無線通信システムにおいてキャリア周波数の割当数を制限する際には、図３に示すように、基地局が端末に割り当てるキャリア数の上限値（Ｍａｘ  ｃａｒｒｉｅｒ）を、４キャリア、２キャリア、１キャリアに設定し、キャリア数上限値＝４とキャリア数上限値＝２との切換ポイントに設定したＴｈ＿３−４の図示左側ではキャリア数上限値を４に設定するとともにＴｈ＿３−４の図示右側ではキャリア数上限値を２に設定し、キャリア数上限値＝２とキャリア数上限値＝１との切換ポイントに設定したＴｈ＿１−２の図示左側ではキャリア数上限値を２に設定するとともにＴｈ＿１−２の図示右側ではキャリア数上限値を１に設定している。このようにすることにより、基地局のセルエッジに近い領域において生じる可能性がある煩雑な制御を簡素化することができる。また、必要なデータ転送レートを確保するためのキャリア周波数の割当数を、フェージング等のマージンを含めて、所要ＣＮＲおよびパスロスを考慮して、求めることができる。
【００１９】
本実施形態の通信制御方法、ならびに、該通信制御方法を実施するための無線通信端末および基地局を含む無線通信システムによれば、（１）変調クラスが所定の変調クラス（ｍｏｄ２）以下になった場合には、現在使用しているキャリア周波数の割当数を減少させ、前記変調クラスが前記所定の変調クラス（ｍｏｄ２）を超えた場合には、現在使用しているキャリア周波数の割当数を増加させ、（２）前記所定の変調クラスにおいて、現在使用しているキャリア周波数の割当数を通信品質に応じて制御し、（３）前記所定の変調クラス（ｍｏｄ２）において、通信品質に応じて予め設定されたキャリア周波数の割当数と所要の通信品質（ＣＮＲ）との対応付け（図２参照）に基づいて、現在使用しているキャリア周波数の割当数を制御するようにしたから、端末側で適用されるキャリア数および変調クラスが最適化されることになり、低変調クラスにおいて通信品質が劣化した場合であっても通信路切断を回避し、余計な妨害波の低減を図り、基地局の無線リソース（キャリア周波数リソース）の有効利用を図るとともに、基地局および端末を含む無線通信システム全体としてのデータ転送レートの向上を図ることができるマルチキャリア対応の通信制御方法および無線通信装置を提供することができる。
【００２０】
また、本実施形態の通信制御方法および該通信制御方法を実施するための無線通信端末および基地局を含む無線通信システムによれば、３キャリアはキャリア数上限値として設定可能であるが、３キャリアを使用しても効果が低いことを考慮して３キャリアを除外している。すなわち、キャリアの上限値としては、１，２，４，８，１６，・・と設定できるようにしたことにより、制御の複雑化を緩和している。
【図面の簡単な説明】
【００２１】
【図１】本発明の第１実施形態の通信制御方法を適用する無線通信システムにおいて無線通信端末が複数のキャリア周波数を使用して基地局とデータ通信を行う際の、キャリア周波数の割当数毎のデータ転送レートの例を示すグラフである。
【図２】図１のグラフにおけるアップリンク時の変調クラスと所要ＣＮＲとデータ転送レートとの関係の一例をキャリア周波数の割当数毎に示す図である。
【図３】第１実施形態の通信制御方法を実施する無線通信システムにおいて、無線通信装置である基地局が無線通信装置である無線通信端末に割り当てるキャリア周波数の割当数の制限値の設定例を示す図である。
【図４】第１実施形態の通信制御方法を実施する無線通信システムにおいて、無線通信装置である基地局が無線通信装置である無線通信端末に割り当てるキャリア周波数の割当数の制限値の決定に用いる、キャリア周波数の割当数の切換ポイントを示す図である。
【符号の説明】
【００２２】
ｍｏｄ０〜ｍｏｄ７  変調クラス０〜変調クラス７
Ｔｈ＿３−４  ３キャリアでのデータ転送レートと４キャリアでのデータ転送レートとが一致する切換ポイント
Ｔｈ＿２−３  ２キャリアでのデータ転送レートと３キャリアでのデータ転送レートとが一致する切換ポイント
Ｔｈ＿１−２  １キャリアでのデータ転送レートと２キャリアでのデータ転送レートとが一致する切換ポイント
【図１】
2008211618.tif 000003
【図２】
2008211618.tif 000004
【図３】
2008211618.tif 000005
【図４】
2008211618.tif 000006